【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
閾値ノードを有するコンデンサと、
入力信号を受け取る充電回路入力ノードと、前記閾値ノードに結合される充電回路出力ノードとを有し、前記コンデンサを前記入力信号の正ピークに従った電圧まで充電するために、前記充電回路出力ノードにおいて、充電信号を提供するように適合される充電回路と、
入力信号を受け取る放電回路入力ノードと、前記閾値ノードに結合される放電回路出力ノードとを有し、前記コンデンサを前記入力信号の負ピークに従った電圧まで放電するために、前記放電回路出力ノードにおいて、放電信号を提供するように適合される放電回路と、のうちの選択されたひとつと、
前記閾値ノードに結合される第１の比較器入力ノードと、前記充電回路と前記放電回路のうちの前記選択されたひとつの前記入力ノードに結合される第２の比較器入力ノードと、比較器出力信号が提供される比較器出力ノードとを有する比較器と、
前記比較器出力ノードに結合される論理回路入力ノードと、前記比較器出力信号が遷移を行わない所定の期間に応じて論理回路出力信号が提供される論理回路出力ノードとを有する論理回路と、
前記閾値ノードに結合される第１のスイッチノードと、前記充電回路入力ノードと前記放電回路入力ノードのうちの前記選択されたひとつに結合される第２のスイッチノードと、前記論理回路出力ノードに結合されるスイッチ制御ノードとを有するスイッチと、を備える回路。
【請求項２】
前記スイッチは、前記論理回路出力信号に応じて、前記コンデンサにおける電圧を前記入力信号に従った電圧と実質的に等しくさせるように適合される、請求項１に記載の回路。
【請求項３】
前記論理回路は、
タイマ信号を発生させるタイマと、
前記タイマに結合され、前記タイマ信号に応じて前記論理回路出力信号に関連するパルスを発生させるパルス発生器と、を備える、請求項１に記載の回路。
【請求項４】
前記パルス発生器は、単安定マルチバイブレータを備える、請求項３に記載の回路。
【請求項５】
前記所定の期間は、前記入力信号の変化率に従って選択される、請求項１に記載の回路。
【請求項６】
前記コンデンサと、前記充電回路と前記放電回路のうちの前記選択されたひとつと、前記比較器と、前記論理回路と、前記スイッチとが、共通基板上に設けられる、請求項１に記載の回路。
【請求項７】
鉄物体の運動に応答して、前記比較器出力信号を提供するように適合される、請求項１に記載の回路。
【請求項８】
磁石の運動に応答して、前記比較器出力信号を提供するように適合される、請求項１に記載の回路。
【請求項９】
前記比較器出力ノードに結合される遅延モジュール入力ノードと、遅延モジュール出力ノードとを有する遅延モジュールと、
前記遅延モジュール出力ノードに結合されるパルス発生器入力ノードと、パルス発生器出力ノードとを有するパルス発生器と、
電流源出力ノードを有する電流源と、
前記閾値ノードに結合される第１のレベルシフトスイッチノードと、前記電流源出力ノードに結合される第２のレベルシフトスイッチノードと、前記パルス発生器出力ノードに結合されるレベルシフトスイッチ制御ノードとを有するレベルシフトスイッチと、をさらに含む、請求項１に記載の回路。
【請求項１０】
閾値ノードを有するコンデンサと、
入力信号を受け取る充電回路入力ノードと、前記閾値ノードに結合される充電回路出力ノードと、動作可能ノードとを有する充電回路と、
前記入力信号を受け取る放電回路入力ノードと、前記閾値ノードに結合される放電回路出力ノードと、反転動作可能入力ノードとを有する放電回路とを備え、
前記充電回路は、前記コンデンサを前記入力信号の正ピークに従った電圧まで充電するために、前記充電回路出力ノードにおいて、充電信号を提供するように適合され、前記放電回路は、前記コンデンサを前記入力信号の負ピークに従った電圧まで放電するために、前記放電回路出力ノードにおいて、放電信号を提供するように適合される、充電／放電回路と、
前記閾値ノードに結合される第１の比較器入力ノードと、前記充電および放電回路入力ノードに結合される第２の比較器入力ノードと、比較器出力信号が提供される比較器出力ノードとを有する比較器と、
前記比較器出力ノードに結合される論理回路入力ノードと、前記動作可能入力ノードおよび前記反転動作可能入力ノードに結合される論理回路出力ノードとを有し、第１の論理回路出力信号と第２の論理回路出力信号のうちの選択されたひとつは、前記論理回路出力ノードにおいて、前記比較器出力信号が出力信号遷移を有さない所定の期間に応じて提供される、論理回路と、
を備える回路。
【請求項１１】
前記第１の論理回路出力信号は、前記比較器出力信号に関連付けられ、前記第２の論理回路出力信号は、パルス信号である、請求項１０に記載の回路。
【請求項１２】
前記充電／放電回路は、前記論理回路出力信号に応じて、前記コンデンサにおける電圧を前記入力信号に従った電圧と実質的に等しくさせるように適合される、請求項１０に記載の回路。
【請求項１３】
前記論理回路は、
タイマ信号を発生させるタイマと、
前記タイマに結合され、前記タイマ信号に応じてＰＤＲパルスを発生させる出力ノードを有するパルス発生器と、を備える、請求項１０に記載の回路。
【請求項１４】
前記動作可能ノードおよび前記反転動作可能ノードに結合される第１の転流回路ノードと、前記比較器出力ノードに結合される第２の転流回路ノードと、前記パルス発生器出力ノードに結合される第３の転流回路ノードとを有する転流回路をさらに含む、請求項１３に記載の回路。
【請求項１５】
前記パルス発生器は、単安定マルチバイブレータを備える、請求項１３に記載の回路。
【請求項１６】
所定の期間は、前記入力信号の変化率に従って選択される、請求項１０に記載の回路。
【請求項１７】
前記コンデンサと、前記充電回路と、前記放電回路と、前記比較器と、前記論理回路とは、共通基板上に設けられる、請求項１０に記載の回路。
【請求項１８】
鉄物体の運動に応答して、前記比較器出力信号を提供するように適合される、請求項１０に記載の回路。
【請求項１９】
磁石の運動に応答して、前記比較器出力信号を提供するように適合される、請求項１０に記載の回路。
【請求項２０】
第１の閾値ノードを有する第１のコンデンサと、
第２の閾値ノードを有する第２のコンデンサと、
入力信号と反転入力信号を受け取る少なくとも２つの充電／放電回路入力ノードと、前記第１の閾値ノードと前記第２の閾値ノードにそれぞれ結合される少なくとも２つの充電／放電回路出力ノードと、動作可能／動作不能ノードとを有し、前記第１のコンデンサを前記入力信号の正ピークに従った電圧まで充電するために、また前記第２のコンデンサを前記反転入力信号の正ピークに従った電圧まで充電するために、前記少なくとも２つの充電／放電回路出力ノードにおいて、充電信号を提供するように適合され、前記第１のコンデンサを前記入力信号の負ピークに従った電圧まで放電するために、また前記第２のコンデンサを前記反転入力信号の負ピークに従った電圧まで放電するために、前記少なくとも２つの充電／放電回路出力ノードにおいて、放電信号を提供するように適合される充電／放電回路と、
前記第１および第２の閾値ノードに結合される第１の差動比較器入力ノードと、前記少なくとも２つの充電／放電回路入力ノードのそれぞれ一方に結合される第２の差動比較器入力ノードと、比較器出力信号が提供される比較器出力ノードとを有する比較器と、
前記比較器出力ノードに結合される論理回路入力ノードと、前記動作可能／動作不能ノードに結合される論理回路出力ノードとを有し、第１の論理回路出力信号と第２の論理回路出力信号のうちの選択されたひとつが、前記論理回路出力ノードにおいて、前記比較器出力信号が出力信号遷移を有さない所定の期間に応じて提供される論理回路と、を備える回路。
【請求項２１】
前記第１の論理回路出力信号は、前記比較器出力信号に関連付けられ、前記第２の論理回路出力信号は、パルス信号である、請求項２０に記載の回路。
【請求項２２】
前記充電／放電回路は、
前記入力信号を受け取る第１の充電回路入力ノードと、前記第１の閾値ノードに結合される第１の充電回路出力ノードと、前記論理回路出力ノードに結合される第１の充電回路動作可能入力ノードとを有する第１の充電回路と、
前記入力信号を受け取る第１の放電回路入力ノードと、前記第１の閾値ノードに結合される第１の放電回路出力ノードと、前記論理回路出力ノードに結合される第１の放電回路反転動作可能入力ノードとを有する第１の放電回路と、
前記反転入力信号を受け取る第２の充電回路入力ノードと、前記第２の閾値ノードに結合される第２の充電回路出力ノードと、前記論理回路出力ノードに結合される第２の充電回路反転動作可能入力ノードとを有する第２の充電回路と、
前記反転入力信号を受け取る第２の放電回路入力ノードと、前記第２の閾値ノードに結合される第２の放電回路出力ノードと、前記論理回路出力ノードに結合される第２の放電回路動作可能入力ノードとを有する第２の放電回路と、を備え、前記第１の充電回路は、前記第１のコンデンサを前記入力信号の正ピークに従った電圧まで充電するために、前記第１の充電回路出力ノードにおいて、第１の充電信号を提供するように適合され、前記第１の放電回路は、前記第１のコンデンサを前記入力信号の負ピークに従った電圧まで放電するために、前記第１の放電回路出力ノードにおいて、第１の放電信号を提供するように適合され、前記第２の充電回路は、前記第２のコンデンサを前記反転入力信号の前記正ピークに従った電圧まで充電するために、前記第２の充電回路出力ノードにおいて、第２の充電信号を提供するように適合され、前記第２の放電回路は、前記第２のコンデンサを前記反転入力信号の前記負ピークに従った電圧まで放電するために、前記第２の放電回路出力ノードにおいて、第２の放電信号を提供するように適合される、
請求項２０に記載の回路。
【請求項２３】
前記充電／放電回路は、前記論理回路出力信号に応じて、前記第１のコンデンサにおける電圧を前記入力信号に従った電圧と実質的に等しくさせ、前記第２のコンデンサにおける電圧を前記反転入力信号に従った電圧と実質的に等しくさせるように適合される、請求項２０に記載の回路。
【請求項２４】
前記論理回路は、
タイマ信号を発生させるタイマと、
前記タイマに結合され、前記タイマ信号に応じて前記論理回路出力信号に関連するパルスを発生させるパルス発生器と、を備える、請求項２０に記載の回路。
【請求項２５】
前記パルス発生器は、単安定マルチバイブレータを備える、請求項２４に記載の回路。
【請求項２６】
前記第１および第２の充電回路動作可能および反転動作可能ノードにそれぞれ結合され、また前記第１および第２の放電回路反転動作可能および動作可能ノードにそれぞれ結合される第１の転流回路ノードと、前記比較器出力ノードに結合される第２の転流回路ノードと、前記パルス発生器出力ノードに結合される第３の転流回路ノードとを有する転流回路をさらに含む、請求項２０に記載の回路。
【請求項２７】
所定の期間は、前記入力信号の変化率に従って選択される、請求項２０に記載の回路。
【請求項２８】
前記コンデンサと、前記充電回路と、前記放電回路と、前記比較器と、前記論理回路とが、共通基板上に設けられる、請求項２０に記載の回路。
【請求項２９】
鉄物体の運動に応答して、前記比較器出力信号を提供するように適合される、請求項２０に記載の回路。
【請求項３０】
磁石の運動に応答して、前記比較器出力信号を提供するように適合される、請求項２０に記載の回路。
【請求項３１】
閾値ノードを有するコンデンサを備え、入力信号に追従し、前記入力信号のピークに従って前記閾値ノードにおけるコンデンサ電圧を保持するように適合され、前記入力信号の前記ピークに従って出力信号が提供される出力ノードを有する追跡および保持回路と、
前記コンデンサ電圧の傾斜を表す遷移を有する論理回路出力ノードに第１の論理回路出力信号を提供するように適合され、前記追跡および保持回路を制御するように適合される第１の論理回路と、を備える回路。
【請求項３２】
前記追跡および保持回路は、
入力信号を受け取る充電回路入力ノードと、前記閾値ノードに結合される充電回路出力ノードとを有し、前記コンデンサを前記入力信号の正ピークに従ったコンデンサ正ピーク電圧まで充電するために、前記充電回路出力ノードにおいて、充電信号を提供するように適合され、前記コンデンサ正ピーク電圧の傾斜を表す充電回路傾斜信号が提供される充電回路傾斜ノードをさらに有する充電回路と、または
入力信号を受け取る放電回路入力ノードと、前記閾値ノードに結合される放電回路出力ノードとを有し、前記コンデンサを前記入力信号の負ピークに従ったコンデンサ負ピーク電圧まで放電するために、前記放電回路出力ノードにおいて、放電信号を提供するように適合され、前記コンデンサ負ピーク電圧の傾斜を表す放電回路傾斜信号が提供される放電回路傾斜ノードをさらに有する放電回路と、のうちの少なくともひとつと、
前記閾値ノードに結合される第１の比較器入力ノードと、前記充電回路または前記放電回路の前記少なくともひとつの前記入力ノードに結合される第２の比較器入力ノードと、比較器出力信号が提供される比較器出力ノードとを有する比較器と、を備える、請求項３１に記載の回路。
【請求項３３】
前記第１の論理回路出力ノードに結合される第２の論理回路入力ノードと、前記出力信号が遷移を行わない所定の期間を表す第２の論理回路ＰＤＲ信号が提供される第２の論理回路ＰＤＲ出力ノードとを有する第２の論理回路をさらに備える、請求項３２に記載の回路。
【請求項３４】
前記閾値ノードに結合される第１のスイッチノードと、前記入力信号に結合される第２のスイッチノードと、前記第２の論理回路ＰＤＲノードに結合されるスイッチ制御ノードとを有するスイッチをさらに備える、請求項３３に記載の回路。
【請求項３５】
前記スイッチが、前記第２の論理回路ＰＤＲ信号に応じて、前記コンデンサにおける電圧を前記入力信号に従った電圧と実質的に等しくさせるように適合される、請求項３４に記載の回路。
【請求項３６】
前記追跡および保持回路に結合される第１の転流回路ノードと、前記比較器出力ノードに結合される第２の転流回路ノードと、前記第２の論理回路ＰＤＲ信号を受信するように結合される第３の転流回路ノードとを有する転流回路をさらに含む、請求項３３に記載の回路。
【請求項３７】
前記転流回路は、前記第２の論理回路ＰＤＲ信号に応じて、前記コンデンサにおける電圧を前記入力信号に従った電圧と実質的に等しくさせるように適合される、請求項３６に記載の回路。
【請求項３８】
前記第２の論理回路は、
タイマ信号を発生させるタイマと、
前記タイマに結合され、前記タイマ信号に応じて前記第２の論理回路ＰＤＲ信号に関連するパルスを発生させるパルス発生器と、を備える、請求項３３に記載の回路。
【請求項３９】
前記コンデンサと、前記追跡および保持回路、前記第１の論理回路、または前記第２の論理回路のうちの少なくとも１つとが、共通基板上に設けられる、請求項３３に記載の回路。
【請求項４０】
閾値ノードを有するコンデンサと、
入力信号を受け取る充電回路入力ノードと、前記閾値ノードに結合される充電回路出力ノードとを有し、前記コンデンサを前記入力信号の正ピークに従ったコンデンサ正ピーク電圧まで充電するために、前記充電回路出力ノードにおいて、充電信号を提供するように適合され、前記コンデンサ正ピーク電圧の傾斜を表す充電回路傾斜信号が提供される充電回路傾斜ノードをさらに有する充電回路と、または
前記入力信号を受け取る放電回路入力ノードと、前記閾値ノードに結合される放電回路出力ノードとを有し、前記コンデンサを前記入力信号の負ピークに従ったコンデンサ負ピーク電圧まで放電するために、前記放電回路出力ノードにおいて、放電信号を提供するように適合され、前記コンデンサ負ピーク電圧の傾斜を表す放電回路傾斜信号が提供される放電回路傾斜ノードをさらに有する放電回路と、のうちの少なくともひとつと、
前記閾値ノードに結合される第１の比較器入力ノードと、前記充電回路または前記放電回路の前記少なくともひとつの前記入力ノードに結合される第２の比較器入力ノードと、比較器出力信号が提供される比較器出力ノードとを有する比較器と、
前記充電回路傾斜ノードまたは前記放電回路傾斜ノードの少なくともひとつに結合される少なくとも１つの第１の論理回路入力ノードと、前記コンデンサ正ピーク電圧または前記コンデンサ負ピーク電圧の少なくともひとつの傾斜を表す第１の論理回路出力信号が提供される第１の論理回路出力ノードとを有する第１の論理回路と、
前記比較器出力ノードに結合される第２の論理回路入力ノードと、前記第１の論理回路ＰＤＲノードに結合される別の第２の論理回路入力ノードと、前記比較器出力信号が遷移を行わない所定の期間を表し、さらに前記コンデンサ正ピーク電圧または前記コンデンサ負ピーク電圧の前記少なくともひとつが近似的にゼロに等しい傾斜を有する所定の期間に応じた第２の論理回路ＰＤＲ信号が提供される第２の論理回路出力ノードとを有する第２の論理回路と、
を備える回路。
【請求項４１】
前記閾値ノードに結合される第１のスイッチノードと、前記入力信号に結合される第２のスイッチノードと、前記第２の論理回路ＰＤＲノードに結合されるスイッチ制御ノードとを有するスイッチを備える、請求項４０に記載の回路。
【請求項４２】
前記スイッチは、前記第２の論理回路ＰＤＲ信号に応じて、前記コンデンサにおける電圧を前記入力信号に従った電圧と実質的に等しくさせるように適合される、請求項４１に記載の回路。
【請求項４３】
前記第２の論理回路は転流回路を含み、前記転流回路は前記充電回路または前記放電回路の前記少なくともひとつに結合される第１の転流回路ノードと、前記比較器出力ノードに結合される第２の転流回路ノードと、前記第２の論理回路ＰＤＲ信号を受信するために結合される第３の転流回路ノードとを含む、請求項４０に記載の回路。
【請求項４４】
前記転流回路が、前記第２の論理回路ＰＤＲ信号に応じて、前記コンデンサにおける電圧を前記入力信号に従った電圧と実質的に等しくさせるように適合される、請求項４３に記載の回路。
【請求項４５】
前記第２の論理回路は、
タイマ信号を発生させるタイマと、
前記タイマに結合され、前記タイマ信号に応じて前記第２の論理回路ＰＤＲ信号に関連するパルスを発生させるパルス発生器と、を備える、請求項４０に記載の回路。
【請求項４６】
前記コンデンサと、前記充電回路および前記放電回路、前記比較器、前記第１の論理回路、ならびに前記第２の論理回路のうちの少なくとも１つとが、共通基板上に設けられる、請求項４０に記載の回路。
【請求項４７】
第１の閾値ノードを有する第１のコンデンサと、
第２の閾値ノードを有する第２のコンデンサと、
入力信号と反転入力信号を受け取る少なくとも２つの充電／放電回路入力ノードと、前記第１の閾値ノードと前記第２の閾値ノードにそれぞれ結合される少なくとも２つの充電／放電回路出力ノードと、動作可能／動作不能ノードとを有し、前記第１のコンデンサを前記入力信号の正ピークに従った第１のコンデンサ正ピーク電圧まで充電するために、また前記第２のコンデンサを前記反転入力信号の正ピークに従った第２のコンデンサ正ピーク電圧まで充電するために、前記少なくとも２つの充電／放電回路出力ノードにおいて、充電信号を提供するように適合され、前記第１のコンデンサを前記入力信号の負ピークに従った第１のコンデンサ負ピーク電圧まで放電するために、また前記第２のコンデンサを前記反転入力信号の第２のコンデンサ負ピークに従った負ピーク電圧まで放電するために、前記少なくとも２つの充電／放電回路出力ノードにおいて、放電信号を提供するように適合され、前記第１のコンデンサ正ピーク電圧、前記第２のコンデンサ正ピーク電圧、前記第１のコンデンサ負ピーク電圧、または前記第２のコンデンサ負ピーク電圧のうちの少なくとも１つの傾斜を表す少なくとも１つの充電／放電回路傾斜信号がそれぞれ提供される少なくとも１つの充電／放電回路傾斜ノードをさらに有する充電／放電回路と、
前記第１および第２の閾値ノードに結合される第１の差動比較器入力ノードと、前記少なくとも２つの充電／放電回路入力ノードのひとつに結合される第２の差動比較器入力ノードと、比較器出力信号が提供される比較器出力ノードとを有する比較器と、
前記少なくとも１つの充電／放電回路傾斜ノードに結合される少なくとも１つの第１の論理回路入力ノードを有し、第１の論理回路出力信号は、前記第１のコンデンサ正ピーク電圧、前記第２のコンデンサ正ピーク電圧、前記第１のコンデンサ負ピーク電圧、または前記第２のコンデンサ負ピーク電圧のうちの少なくとも１つの傾斜に応じて提供される第１の論理回路出力ノードを有する第１の論理回路と、
前記比較器ＰＤＲノードに結合される第２の論理回路入力ノードと、前記第１の論理回路出力ノードに結合される別の第２の論理回路入力ノードと、動作可能／動作不能ノードに結合される第２の論理回路ＰＤＲノードとを有し、第２の論理回路ＰＤＲ信号が、前記比較器出力信号が遷移を行わない所定の期間を示し、さらに前記第１のコンデンサ正ピーク電圧、前記第２のコンデンサ正ピーク電圧、前記第１のコンデンサ負ピーク電圧、または前記第２のコンデンサ負ピーク電圧のうちの少なくとも１つが近似的にゼロに等しい傾斜を有する所定の期間を示す、前記第２の論理回路出力ノードにおいて提供される、第２の論理回路と、
を備える回路。
【請求項４８】
前記充電／放電回路は、
前記入力信号を受け取る第１の充電回路入力ノードと、前記第１の閾値ノードに結合される第１の充電回路出力ノードと、前記第２の論理回路出力ノードに結合される第１の充電回路動作可能入力ノードとを有する第１の充電回路と、
前記入力信号を受け取る第１の放電回路入力ノードと、前記第１の閾値ノードに結合される第１の放電回路出力ノードと、前記第２の論理回路出力ノードに結合される第１の放電回路反転動作可能入力ノードとを有する第１の放電回路と、
前記反転入力信号を受け取る第２の充電回路入力ノードと、前記第２の閾値ノードに結合される第２の充電回路出力ノードと、前記第２の論理回路出力ノードに結合される第２の充電回路反転動作可能入力ノードとを有する第２の充電回路と、
前記反転入力信号を受け取る第２の放電回路入力ノードと、前記第２の閾値ノードに結合される第２の放電回路出力ノードと、前記第２の論理回路出力ノードに結合される第２の放電回路動作可能入力ノードとを有する第２の放電回路と、を備え、
前記第１の充電回路は、前記第１のコンデンサを充電するために、前記第１の充電回路出力ノードにおいて、第１の充電信号を提供するように適合され、前記第１の放電回路は、前記第１のコンデンサを放電するために、前記第１の放電回路出力ノードにおいて、第１の放電信号を提供するように適合され、前記第２の充電回路は、前記第２のコンデンサを充電するために、前記第２の充電回路出力ノードにおいて、第２の充電信号を提供するように適合され、前記第２の放電回路は、前記第２のコンデンサを放電するために、前記第２の放電回路出力ノードにおいて、第２の放電信号を提供するように適合される、請求項４７に記載の回路。
【請求項４９】
前記充電／放電回路は、前記第２の論理回路ＰＤＲ信号に応じて、前記第１のコンデンサにおける電圧を前記入力信号に従った電圧と実質的に等しくさせ、前記第２のコンデンサにおける電圧を前記反転入力信号に従った電圧と実質的に等しくさせるように適合される、請求項４７に記載の回路。
【請求項５０】
前記第２の論理回路は、
タイマ信号を発生させるタイマと、
前記タイマに結合され、前記タイマ信号に応じて前記第２の論理回路ＰＤＲ信号に関連するパルスを発生させるパルス発生器と、を備える、請求項４７に記載の回路。
【請求項５１】
前記第２の論理回路は、前記動作可能／動作不能ノードに結合される第１の転流回路ノードと、前記比較器出力ノードに結合される第２の転流回路ノードと、前記第２の論理回路ＰＤＲノードに結合される第３の転流回路ノードとを有する転流回路をさらに含む、請求項４７に記載の回路。
【請求項５２】
前記転流回路は、前記第２の論理回路ＰＤＲ信号に応じて、前記第１のコンデンサにおける電圧を前記入力信号に従った電圧と実質的に等しくさせるように適合され、前記転流回路はさらに、前記第２の論理回路ＰＤＲ信号に応じて、前記第２のコンデンサにおける電圧を前記反転入力信号に従った電圧と実質的に等しくさせるように適合される、請求項５１に記載の回路。
【請求項５３】
前記第１のコンデンサと、前記第２のコンデンサと、前記充電／放電回路、前記比較器、前記第１の論理回路、前記第２の論理回路、または前記転流回路のうちの少なくとも１つとは、共通基板上に設けられる、請求項５１に記載の回路。
【請求項５４】
前記第１のコンデンサと、前記第２のコンデンサと、前記充電／放電回路、前記比較器、前記第１の論理回路、または前記第２の論理回路のうちの少なくとも１つとは、共通基板上に設けられる、請求項４７に記載の回路。
【手続補正２】
【補正対象書類名】明細書
【補正対象項目名】００５３
【補正方法】変更
【補正の内容】
【００５３】
入力信号１５２が電圧的に変化しているときに達成される、論理回路１７２の第１の動作モードでは、論理回路１７２は、論理回路出力ノード１７２ｂにおいて、定常（ＤＣ）ＰＤＲ信号を発生させる。第１の動作モードでは、タイマ７２は、変化する入力信号１５２によって引き起こされる比較器出力信号１７０の状態変化によって、反復的にリセットされる。この動作モードでは、パルス発生域１７８は、ロー状態に留まり、その結果、第１のスイッチ１８０は、閉じた状態にあり、第２のスイッチ１８２は、開いた状態にある。したがって、比較器１６８の出力信号１７０は、論理回路出力ノード１７２ｂに誘導され、比較器出力信号１７０は、制御信号ＣＴＲになる。ＣＴＲ信号がロー（すなわち、比較器出力信号１７０がロー）である場合、充電回路１５５は、動作可能にされ、放電回路１５９は、動作不能にされる。反対に、ＣＴＲ信号がハイ（すなわち、比較器出力信号１７０がハイ）である場合、充電回路１５５は、動作不能にされ、放電回路１５９は、動作可能にされる。
【手続補正３】
【補正対象書類名】明細書
【補正対象項目名】００５９
【補正方法】変更
【補正の内容】
【００５９】
適切に動作するため、タイマ１７６は、電圧差Ｖｃ−Ｖｉが比較器１６８の閾値に達しないように、調整されなければならない。例えば、特定の実施形態では、コンデンサ１６６は、１００ｐｆの値と、１０ｐａの正味の漏れ電流を有する。結果の電圧ドリフトは、０．１ｍｖ／ｍｓである。１００ｍｖの比較器閾値の場合、自己スイッチングを回避するため、タイマ１７６に関連するタイマカウントは、１秒前に経過するように選択されるべきである。選択タイマ経過時間を用いて、入力信号１５２のピークを検出するため、入力信号１５２は、１００ｍｖ／１ｓより高い変化率を有さなければならない。１Ｖｐｐの正弦入力信号１５２の場合、これは、０．３２Ｈｚの最低入力信号動作周波数に対応する。
【手続補正４】
【補正対象書類名】明細書
【補正対象項目名】００６４
【補正方法】変更
【補正の内容】
【００６４】
曲線２１２は、論理回路出力ノード１７２ｂ（図５）において出現する制御信号ＣＴＲに対応し、その各状態変化は、図５に関連して上で説明されたように、充電回路１５５と放電回路１５９の適切な一方を動作可能にすることによって、コンデンサ電圧２０４ａ〜２０４ｅを入力信号２０２と等しくさせる。
【手続補正５】
【補正対象書類名】明細書
【補正対象項目名】００６８
【補正方法】変更
【補正の内容】
【００６８】
曲線２６０は、図５の比較器出力ノード１６８ｃに出現する出力信号１７０を表す。曲線２５６は閾値２５８ａ、２５８ｂに対応する電圧に達しないので、比較器１６８（図５）は、状態を変えず、曲線２６０は、ここではロー状態として示される無変化状態に留まる。
【手続補正６】
【補正対象書類名】明細書
【補正対象項目名】００７１
【補正方法】変更
【補正の内容】
【００７１】
電圧ドリフトが負方向の場合、すなわち、曲線２５６が正の傾斜の代わりに負の傾斜を有する傾斜を有する場合も、同様の利点が達成されることをさらに理解されたい。曲線２６０によって示される比較器１６８の出力電圧１７０が、ゼロ状態の代わりに、正状態にある場合も、同様の利点が達成されることをまたさらに理解されたい。
【手続補正７】
【補正対象書類名】明細書
【補正対象項目名】００７３
【補正方法】変更
【補正の内容】
【００７３】
いくつかの実施形態では、充電／放電回路３０４は、入力信号３０２ａを受け取る第１の充電回路入力ノード３０６ａと、第１の閾値ノード３２０ａに結合される第１の充電回路出力ノード３０６ｂと、論理回路出力ノード３３８ｂに結合される第１の充電回路動作可能入力ノード３０６ｃとを有する第１の充電回路３０６を含む。充電／放電回路３０４は、入力信号３０２ａを受け取る第１の放電回路入力ノード３１２ａと、第１の閾値ノード３２０ａに結合される第１の放電回路出力ノード３１２ｂと、論理回路出力ノード３３８ｂに結合される第１の放電回路反転動作可能入力ノード３１２ｃとを有する第１の放電回路３１２をさらに含む。充電／放電回路３０４は、またさらに、反転入力信号３０２ｂを受け取る第２の充電回路入力ノード３２６ａと、第２の閾値ノード３２２ａに結合される第２の充電回路出力ノード３２６ｂと、論理回路出力ノード３３８ｂに結合される第２の充電回路反転動作可能入力ノード３２６ｃとを有する第２の充電回路３２６を含む。充電／放電回路３０４は、またさらに、反転入力信号３０２ｂを受け取る第２の放電回路入力ノード３３２ａと、第２の閾値ノード３２２ａに結合される第２の放電回路出力ノード３３２ｂと、論理回路出力ノード３３８ｂに結合される第２の放電回路動作可能入力ノード３３２ｃとを有する第２の放電回路３３２をさらに含む。
【手続補正８】
【補正対象書類名】明細書
【補正対象項目名】００８０
【補正方法】変更
【補正の内容】
【００８０】
入力信号および反転入力信号３０２ａ、３０２ｂがそれぞれ電圧的に変化しているときに達成される、論理回路３３８の第１の動作モードでは、論理回路３３８は、パルス発生器出力ノード３４６ａにおいて、定常（ＤＣ）ＰＤＲ信号を発生させる。第１の動作モードでは、タイマ３４２は、変化する入力信号および反転入力信号３０２ａ、３０２ｂによって引き起こされる比較器出力信号３６０の状態変化によって、反復的にリセットされる。この動作モードでは、パルス発生器３４６は、ロー状態に留まり、その結果、第１のスイッチ３５０は、閉じた状態にあり、第２のスイッチ３５２は、閉じた状態にある。したがって、比較器３５６の出力信号３６０は、論理回路出力ノード３３８ｂに誘導され、比較器出力信号３６０は、制御信号ＣＴＲになる。ＣＴＲ信号がロー（すなわち、比較器出力信号３６０がロー）である場合、第１の充電回路３０６および第２の放電回路３３２は、動作可能にされ、第２の充電回路３２６および第１の放電回路３１２は、動作不能にされる。反対に、ＣＴＲ信号がハイ（すなわち、比較器出力信号３６０がハイ）である場合、第１の充電回路３０６および第２の放電回路３３２は、動作不能にされ、第２の充電回路３２６および第１の放電回路３１２は、動作可能にされる。
【手続補正９】
【補正対象書類名】明細書
【補正対象項目名】００８１
【補正方法】変更
【補正の内容】
【００８１】
入力信号および反転入力信号３０２ａ、３０２ｂが緩やかに変化しているとき、またはＤＣであるときに達成される、論理回路３３８の第２の動作モードでは、比較器３５６の出力は、時間的に大きく隔たった遷移を有するか、または遷移を有さず、それぞれ、タイマ３４２に適用される大きく隔たったリセットを生じさせるか、またはリセットを生じさせない。例えば、タイマ３４２に適用されるリセットを生じさせないＤＣ入力信号３０２ａおよび対応するＤＣ反転入力信号３０２ｂを選んだ場合、タイマ３４２は、所定の時間量の最終カウントまでカウントを行い、その時点で、タイマ３４２の出力３４２ａは遷移を生じ、パルス発生器３４６（例えば単安定マルチバイブレータ）に、パルス発生器出力ノード３４６ａにおいて、ハイ状態ＰＤＲ信号（すなわちＰＤＲパルス）を出力させる。
【手続補正１０】
【補正対象書類名】明細書
【補正対象項目名】０１００
【補正方法】変更
【補正の内容】
【０１００】
ここで図１０を参照すると、グラフ５００は、時間を単位とする水平の目盛り５０２ａ〜５０２ｃと、電圧を単位とする垂直の目盛り５０１とを有する。緩やかに変化する入力信号５０４は、例えば、図８の回路３００が上で説明された第１の動作モードにあるようにするために十分短い周期を有する、図８の入力信号３０２ａに対応することができる。入力信号５０４は、代替として、図２の入力信号Ｖｉまたは図５の入力信号Ｖｉに対応することもできる。しかし、図１０の波形は、簡潔さのため、図８の回路に関連して説明される。第１の動作モードでは、ＰＤＲパルスは、論理回路３３８のパルス発生器出力ノード３４６ａにおいて生成されない。
【手続補正１１】
【補正対象書類名】明細書
【補正対象項目名】０１１７
【補正方法】変更
【補正の内容】
【０１１７】
ＰＤＲパルス６１８ｂが発生するときのコンデンサ電圧６０６ｂを例として選ぶと、コンデンサ電圧６０６ｂは、入力信号６０４の電圧に一時的に等しくさせられる。ＰＤＲパルス６１８ｂが終了した後、コンデンサ電圧６０６ｂは、入力信号６０４から所定量だけ逸脱するまで再び保持され、その時点で、エッジ６１２ｂが出力信号６１０において発生することは、図８の回路３００についての説明から理解されよう。エッジ６１２ｂは、上で説明されたＰＤＲパルス６１８ｂのアクションによって遅延させられて、時間ｔ３ｃにおいて発生するが、さもなければ、時間ｔ７ｃまたはその付近で発生したであろう。そこで、エッジ６１６ａ、６１６ｂ、および６１７ａはさもなければ、それぞれエッジ６１４ａ、６１４ｂ、および６１２ｂの代わりに発生したであろう。
【手続補正１２】
【補正対象書類名】明細書
【補正対象項目名】０１１９
【補正方法】変更
【補正の内容】
【０１１９】
図８と同じ要素は同じ参照符号を有するように示されている図１３をここで参照すると、回路６５０は、入力ノード６５２ａ〜６５２ｅと、出力ノード６５２ｆとを有する論理回路６５２を含む。（図１３の回路６５０と図１４のグラフ７００を参照すると、論理回路６５２は「第１の論理回路」として参照でき、論理回路３３８は「第２の論理回路」として参照できる。第２の論理回路３３８はスイッチ３５２、３５０からなるいわゆる「整流回路」を含む。出力ノード３３８ｂは「第２の論理回路出力ノード」として参照できる）。論理回路６５２は、入力ノード３０４ａにおける入力信号３０２ａ、Ｖｉ＋の傾斜と、反転入力ノード３０４ｂにおける反転入力信号３０２ｂ、Ｖｉ−の傾斜とを表す、論理回路出力信号（ＤＶ＿ＤＴ＿ｄｅｔ）を、論理回路出力ノード６５２ｆにおいて提供する。出力信号（ＤＶ＿ＤＴ＿ｄｅｔ）は、入力信号Ｖｉ＋、Ｖｉ−の正または負ピークに対応するゼロ傾斜が、入力信号Ｖｉ＋、Ｖｉ−のどちらかに検出されたときに、負のエッジを有する。入力信号Ｖｉ＋、Ｖｉ−の正または負のピークはそれぞれ閾値ノード３２０ａ、３２２ａのひとつに保持されている電圧に対応し、またそれぞれ、負または正のピークの達するコンデンサ３２０、３２２のひとつの電圧に対応し、さらにそれぞれ関連する保持時間の開始にゼロになるコンデンサ３２０、３２２のひとつの電圧の傾きに対応していることが理解されるべきである。出力信号（ＤＶ＿ＤＴ＿ｄｅｔ）は、第１または第２の閾値ノード３２０ａ、３２２ａにおける電圧が保持される間、ＬＯＷ状態を保持する。第１または第２の閾値ノード３２０ａ、３２２ａにおける電圧が、関連する入力信号Ｖｉ＋、Ｖｉ−を再び追従し、出力比較器が、従って切り替わったとき、出力信号（ＤＶ＿ＤＴ＿ｄｅｔ）は、正のエッジを有する。
【手続補正１３】
【補正対象書類名】明細書
【補正対象項目名】０１２０
【補正方法】変更
【補正の内容】
【０１２０】
上で説明された挙動を達成するため、論理回路６５２は、示されるように直接に、または仲介レベルシフタ（図示されず）および／もしくは比較器（図示されず）を介して、１つまたは複数の増幅器３０８、３１４、３２８、３３４に結合される。その他の増幅器３１４、３２８、３３４の代表として増幅器３０８を選ぶと、充電回路３０６が、入力ノード３０４ａにおいて、入力信号Ｖｉ＋に追従するように動作しているとき、増幅器３０８は、入力信号Ｖｉ＋に関連し、第１の閾値ノード３２０ａにおけるコンデンサ電圧にも関連する出力電圧を有する。入力信号Ｖｉ＋の正ピークが到達され、第１の閾値ノード３２０ａにおける電圧が保持された後直ちに、充電回路３０６は、入力信号Ｖｉ＋に追従することを停止し、増幅器３０８は、開ループに入り、その結果、ノードＡにおいて負の電圧遷移を生じさせる。増幅器３１４は、同様に、入力信号Ｖｉ＋の負ピークが到達され、第１の閾値ノード３２０ａにおける電圧が保持された後直ちに、ノードＤにおいて正の電圧遷移を発生させる。これらの遷移は、論理回路６５２によって検出され、論理回路６５２は、両方の遷移に応答して、論理回路出力ノード６５２ｆにおいて、負のエッジを発生させる。
【手続補正１４】
【補正対象書類名】明細書
【補正対象項目名】０１２６
【補正方法】変更
【補正の内容】
【０１２６】
図１２に関連して上で説明されたように、コンデンサ３２０、３２２（図１３）における電圧が保持されている時間に、ＰＤＲパルスが発生するのを許容することは望ましくない。しかし、論理回路６５２（図１３）は、コンデンサ３２０、３２２（図１３）における電圧が保持されている時間に（すなわち、入力信号のピークが検出されている期間中）、ＰＤＲパルスが発生するのを防止する傾向にあることが、以下の説明から明らかになるであろう。
【手続補正１５】
【補正対象書類名】図面
【補正対象項目名】図４
【補正方法】変更
【補正の内容】
【図４】
2008523716.tif 000001
【手続補正１６】
【補正対象書類名】図面
【補正対象項目名】図５
【補正方法】変更
【補正の内容】
【図５】
2008523716.tif 000002
【手続補正１７】
【補正対象書類名】図面
【補正対象項目名】図８
【補正方法】変更
【補正の内容】
【図８】
2008523716.tif 000003
【手続補正１８】
【補正対象書類名】図面
【補正対象項目名】図９
【補正方法】変更
【補正の内容】
【図９】
2008523716.tif 000004
【手続補正１９】
【補正対象書類名】図面
【補正対象項目名】図１２
【補正方法】変更
【補正の内容】
【図１２】
2008523716.tif 000005
【手続補正２０】
【補正対象書類名】図面
【補正対象項目名】図１３
【補正方法】変更
【補正の内容】
【図１３】
2008523716.tif 000006